(57)【要約】【課題】文字等の複雑な画像の描画機能を有していない画像表示装置でも、画面表示を利用して異常の通知を行うことができるような技術を提供する。【解決手段】映像ソース３１、３２から入力された映像信号に基づいて画像表示を行う画像表示器１が、液晶パネル１５ｂと、液晶パネル１５ｂを背面から照らすバックライト１５ｃと、画像表示器１に入力される信号の異常または当該画像表示器の作動の異常を検出する異常検出部１１ａ、２１、１１ｂ、２２、２０、２３ａと、を備え、更に、当該画像表示器に入力される信号の異常または当該画像表示器の作動の異常を異常検出部１１ａ、２１、１１ｂ、２２、２０、２３ａが検出したことに基づいて、バックライト（１５ｃ）の輝度を変化させる輝度制御回路（１６、１８）と、を備える。【選択図】図２
2011150135.tif 000002
【特許請求の範囲】
【請求項１】
映像ソース（３１、３２）から入力された映像信号に基づいて画像表示を行う画像表示器であって、
液晶パネル（１５ｂ）と、
前記液晶パネル（１５ｂ）を背面から照らすバックライト（１５ｃ）と、
当該画像表示器に入力される信号の異常または当該画像表示器の作動の異常を検出する異常検出部（１１ａ、２１、１１ｂ、２２、２０、２３ａ）と、
当該画像表示器に入力される信号の異常または当該画像表示器の作動の異常を前記異常検出部（１１ａ、２１、１１ｂ、２２、２０、２３ａ）が検出したことに基づいて、前記バックライト（１５ｃ）の輝度を変化させる輝度制御回路（１６、１８）と、を備えた画像表示装置。
【請求項２】
前記輝度制御回路（１６、１８）は、前記異常検出部（１１ａ、２１、１１ｂ、２２、２０、２３ａ）が検出した異常の種類に応じた態様で前記バックライト（１５ｃ）を点滅させることを特徴とする請求項１に記載の画像表示装置。
【請求項３】
映像ソース（３１、３２）から入力された映像信号に基づいて画像表示を行う画像表示器であって、
前記映像ソース（３１、３２）から入力された映像信号を出力する映像信号出力部（１１、１２、１３、１４）と、
前記映像信号出力部（１１、１２、１３、１４）が出力した映像信号が表す画像をユーザに見えるように表示する表示モジュール（１５）と、
当該画像表示器に入力される信号の異常または当該画像表示器の作動の異常を検出する異常検出部（１１ａ、２１、１１ｂ、２２、２０、２３ａ）と、を備え、
前記映像信号出力部（１１、１２、１３、１４）から映像信号を出力するために用いられる信号線は複数本あり、
前記映像信号出力部（１１、１２、１３、１４）は、固定回路（１４ｂ〜１４ｇ）を有し、
前記固定回路（１４ｂ〜１４ｇ）は、当該画像表示器に入力される信号の異常または当該画像表示器の作動の異常を前記異常検出部（１１ａ、２１、１１ｂ、２２、２０、２３ａ）が検出したことに基づいて、前記複数本の信号線のうち一部または全部から出力される信号の値を所定期間だけ所定の値に固定し、それにより、前記表示モジュール（１５）の表示色の特定の色成分を画面全体で一様にすることを特徴とする画像表示器。
【請求項４】
前記所定期間は、前記異常検出部（１１ａ、２１、１１ｂ、２２、２０、２３ａ）が検出した異常の種類に応じて変化することを特徴とする請求項３に記載の画像表示器。
【請求項５】
請求項１ないし３のいずれか１つに記載の画像表示器（１）と、前記画像表示器（１）に映像信号を出力する映像ソース（３１、３２）と、を備え、車両に搭載される車載システムであって、
前記映像ソース（３１、３２）は、前記車両の外部を撮影し、撮影画像の映像信号を前記画像表示器（１）に出力する車載カメラ（３）を含み、
前記車載カメラ（３）は、前記車両のエンジン始動時に、前記撮影画像の映像信号を、前記画像表示器（１）に出力し始め、その後、映像信号の出力を続けたまま所定の待ち時間時間だけ待機し、前記待ち時間の経過後、前記画像表示器（１）への映像信号の出力を終了することを特徴とする車載システム。
【発明の詳細な説明】
【技術分野】
【０００１】
本発明は、画像表示器に関するものである。
【背景技術】
【０００２】
従来、ＣＲＴディスプレイ、液晶ディスプレイ、プラズマディスプレイ、プロジェクタ等の画像表示器のなかには、映像入力信号に異常または途絶があった場合、「Ｎｏ  Ｓｉｇｎａｌ」等の文字を画面に表示することで、映像入力信号が正常でないことをユーザに通知するものがあった。
【先行技術文献】
【特許文献】
【０００３】
【特許文献１】特開平１１−２１５３９３号公報
【発明の概要】
【発明が解決しようとする課題】
【０００４】
しかし、製造コストを抑える等の理由で文字等の複雑な画像の描画機能を独自に有していない画像表示器では、画像表示器の内部異常が発生した場合、映像入力信号に異常が発生した場合、映像入力信号が途絶した場合等に、それら異常を検出しても、異常状態を示す文字を画面上に表示することができない。
【０００５】
特許文献１には、ＣＲＴディスプレイが、自らの内部動作の異常を検出したときに、赤色のＬＥＤを発光させることで異常を表示する技術が記載されている。しかし、この方法では、ＬＥＤという通知用の部品を新たに設ける必要があり、デザイン的にＬＥＤ表示部を設けることができない画像表示器では実現出来ず、また、ＬＥＤを新たに設けるためには、そのためにのみＬＥＤ保持部を設ける必要があるので、デザイン面の制約が大きくなってしまう可能性が高くなり、また、部品コストが上がってしまう可能性も高くなる。
【０００６】
本発明は上記点に鑑み、文字等の複雑な画像の描画機能を有していない画像表示装置でも、画面表示を利用して異常の通知を行うことができるような技術を提供することを目的とする。
【課題を解決するための手段】
【０００７】
上記目的を達成するための請求項１に記載の発明は、映像ソース（３１、３２）から入力された映像信号に基づいて画像表示を行う画像表示器であって、液晶パネル（１５ｂ）と、前記液晶パネル（１５ｂ）を背面から照らすバックライト（１５ｃ）と、当該画像表示器に入力される信号の異常または当該画像表示器の作動の異常を検出する異常検出部（１１ａ、２１、１１ｂ、２２、２０、２３ａ）と、当該画像表示器に入力される信号の異常または当該画像表示器の作動の異常を前記異常検出部（１１ａ、２１、１１ｂ、２２、２０、２３ａ）が検出したことに基づいて、前記バックライト（１５ｃ）の輝度を変化させる輝度制御回路（１６、１８）と、を備えた画像表示装置である。
【０００８】
このように、当該画像表示器に入力される信号の異常または当該画像表示器の作動の異常が検出されたことに基づいて、バックライト（１５ｃ）の輝度を変化させることで、文字等の複雑な画像の描画機能を有していない画像表示装置でも、画面表示を利用して異常の通知を行うことができるようになる。
【０００９】
また、請求項２に記載の発明は、請求項１に記載の画像表示装置において、前記輝度制御回路（１６、１８）は、前記異常検出部（１１ａ、２１、１１ｂ、２２、２０、２３ａ）が検出した異常の種類に応じた態様で前記バックライト（１５ｃ）を点滅させることを特徴とする。このようになっていることで、画像表示器の表示画面全体が異常の種類に応じた態様で点滅し、ユーザは、異常の発生および異常の内容を知ることができる。
【００１０】
また、請求項３に記載の発明は、映像ソース（３１、３２）から入力された映像信号に基づいて画像表示を行う画像表示器であって、前記映像ソース（３１、３２）から入力された映像信号を出力する映像信号出力部（１１、１２、１３、１４）と、前記映像信号出力部（１１、１２、１３、１４）が出力した映像信号が表す画像をユーザに見えるように表示する表示モジュール（１５）と、当該画像表示器に入力される信号の異常または当該画像表示器の作動の異常を検出する異常検出部（１１ａ、２１、１１ｂ、２２、２０、２３ａ）と、を備え、前記映像信号出力部（１１、１２、１３、１４）から映像信号を出力するために用いられる信号線は複数本あり、前記映像信号出力部（１１、１２、１３、１４）は、固定回路（１４ｂ〜１４ｇ）を有し、前記固定回路（１４ｂ〜１４ｇ）は、当該画像表示器に入力される信号の異常または当該画像表示器の作動の異常を前記異常検出部（１１ａ、２１、１１ｂ、２２、２０、２３ａ）が検出したことに基づいて、前記複数本の信号線のうち一部または全部から出力される信号の値を所定期間だけ所定の値に固定し、それにより、前記表示モジュール（１５）の表示色の特定の色成分を画面全体で一様にすることを特徴とする画像表示器である。
【００１１】
このように、当該画像表示器に入力される信号の異常または当該画像表示器の作動の異常が検出されたことに基づいて、表示モジュール（１５）の表示色の特定の色成分を画面全体で一様にすることで、文字等の複雑な画像の描画機能を有していない画像表示装置でも、画面表示を利用して異常の通知を行うことができるようになる。
【００１２】
また、請求項４に記載の発明は、請求項３に記載の画像表示器において、前記所定期間は、前記異常検出部（１１ａ、２１、１１ｂ、２２、２０、２３ａ）が検出した異常の種類に応じて変化することを特徴とする。このようになっていることで、画像表示器の表示画面全体が異常の種類に応じた期間だけ持続し、ユーザは、異常の発生および異常の内容を知ることができる。
【００１３】
また、請求項５に記載の発明は、請求項１ないし３のいずれか１つに記載の画像表示器（１）と、前記画像表示器（１）に映像信号を出力する映像ソース（３１、３２）と、を備え、車両に搭載される車載システムであって、前記映像ソース（３１、３２）は、前記車両の外部を撮影し、撮影画像の映像信号を前記画像表示器（１）に出力する車載カメラ（３）を含み、前記車載カメラ（３）は、前記車両のエンジン始動時に、前記撮影画像の映像信号を、前記画像表示器（１）に出力し始め、その後、映像信号の出力を続けたまま所定の待ち時間時間だけ待機し、前記待ち時間の経過後、前記画像表示器（１）への映像信号の出力を終了することを特徴とする車載システムである。
【００１４】
車載カメラ（３）がこのような作動を行うことで、運転支援に直接関わる車載カメラ（３）の撮影画像を表示するための映像信号線等の故障が発生していれば、エンジン始動時にあらかじめユーザに故障が通知される。したがって、走行中に車載カメラ（３）の撮影画像を実際に表示する状況になるまでユーザが故障に気づかない可能性を低減することができる。
【００１５】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１６】
【図１】本発明の第１実施形態に係る車載システムの構成図である。
【図２】画像表示器１の構成図である。
【図３】第２実施形態に係る画像表示器１の構成図である。
【図４】第２実施形態においてＣＰＵが実行する処理のフローチャートである。
【図５】第３実施形態における車載システムの作動を示す図である。
【図６】他の実施形態におけるＬＣＤ駆動回路１４の構成を示す図である。
【発明を実施するための形態】
【００１７】
（第１実施形態）
以下、本発明の第１実施形態について説明する。図１に、本実施形態に係る車載システムの構成を示す。図１に示すように、車両に搭載される車載システムは、画像表示器１、ナビゲーション装置２、および車載カメラ３を備えている。
【００１８】
ナビゲーション装置２は、ＧＰＳ受信機等を用いて車両の現在位置を特定し、ユーザが目的地を設定すると、現在位置から目的地までの最適な経路を算出し、その経路に沿った案内を行う装置である。ナビゲーション装置２は、上記のような作動の際、車両の現在位置を含む地図等の映像信号を画像表示器１に出力する。
【００１９】
車載カメラ３は、車両の外部を撮影し、撮影画像の映像信号を画像表示器１に出力する。車載カメラ３は、車両の後退時に車両後方の撮影画像を画像表示器１に出力するバックカメラであってもよいし、車両の交差点進入時に車両のノーズ部から左右を撮影するフロントカメラであってもよい。
【００２０】
画像表示器１は、これらナビゲーション装置２、車載カメラ３から入力された映像信号に応じて画像表示を行う装置である。
【００２１】
図２に、本実施形態に係る画像表示機１の構成を示す。画像表示器１は、第１映像信号入力部１１、第２映像信号入力部１２、映像信号処理部１３、ＬＣＤ駆動回路１４、液晶モジュール１５、ＣＰＵ１６、メモリ１７、異常時用輝度制御部１８（本実施形態において輝度制御回路の一例に相当する）、バックライト制御部１９、ウオッチドッグ２０、および２つのＡＮＤ回路２１、２２を備えている。
【００２２】
第１映像信号入力部１１は、画像表示器１の外部の映像ソース３１から逐次（例えば、１秒間に６０フレーム）出力された映像信号を取得し、取得した映像信号を、映像信号処理部１３が処理できるデジタルの映像信号に変換し、変換結果のデジタル映像信号を映像信号処理部１３に出力する。第２映像信号入力部１２は、画像表示器１の外部の映像ソース３２から逐次出力された映像信号を取得し、取得した映像信号を、映像信号処理部１３が処理できるデジタルの映像信号に変換し、変換結果のデジタル映像信号を映像信号処理部１３に出力する。本実施形態においては、映像ソース３１、３２としては、それぞれ上述のナビゲーション装置２、車載カメラ３を採用する。なお、映像信号入力部は２つのみならず、３つ以上あってもよい。
【００２３】
第１映像信号入力部１１および第２映像信号入力部１２は、それぞれ異常検出部１１ａおよび異常検出部１２ａを有している。異常検出部１１ａ、１２ａは、それぞれ第１映像信号入力部１１、第２映像信号入力部１２に入力される映像信号を監視し、当該映像信号の途絶または異常を検出したときには、異常時用輝度制御部１８に出力する異常通知信号をローからハイに切り替える。
【００２４】
映像信号の途絶または異常を検出する方法としては、例えば特開２００５−２０４０８号公報に記載のように、映像ソース３１、３２に対して所定の内容の比較用映像信号を出力するように（図示しない制御信号線を介して）命令を出力し、その後に映像ソース３１、３２から受けた映像信号と比較用映像信号とを比較し、同じでなければ映像信号の途絶または異常であると判定するようになっていてもよい。また例えば、映像信号入力部１１、１２に入力される映像入力信号がＧＶＩＦ（Ｇｉｇａｂｉｔ  Ｖｉｄｅｏ  ＩｎｔｅｒＦａｃｅ）入力である場合は、ＧＶＩＦの規格で規定されているＬｏｓｓ信号（信号途絶を検出する信号）に基づいて、映像信号の途絶を検出するようになっていてもよい。
【００２５】
映像信号処理部１３は、第１映像信号入力部１１および第２映像信号入力部１２から受けた映像信号に対して、信号切り替え、重ね合わせ等の処理を行い、その処理の結果の映像信号をＬＣＤ駆動回路１４に出力する。信号切り替えとは、第１映像信号入力部１１からの映像信号と第２映像信号入力部１２からの映像信号のどちらか１つを、ＬＣＤ駆動回路１４に出力する映像信号として選択する処理をいう。重ね合わせとは、第１映像信号入力部１１からの映像信号および第２映像信号入力部１２からの映像信号を、所定の方法で重ね合わせ、重ね合わせた結果の映像信号をＬＣＤ駆動回路１４に出力する処理をいう。映像信号処理部１３の作動は、ＣＰＵ１６から制御することができる。
【００２６】
ＬＣＤ駆動回路１４は、映像信号処理部１３から出力された映像信号が表す画像の各画素を、液晶モジュール１５上の表示画面の各表示位置に各タイミングで表示させるよう、適切なタイミングで液晶モジュール１５に当該映像信号を出力するタイミングコントローラＩＣである。
【００２７】
液晶モジュール１５は、ＬＣＤ駆動回路１４が出力した映像信号が表す画像を実際にユーザに見えるように表示する装置である。この液晶モジュール１５は、ドライバ部１５ａ、液晶パネル１５ｂ、バックライト１５ｃを備えている。ドライバ部１５ａは、ＬＣＤ駆動回路１４から受けた信号に応じて、液晶パネル１５ｂの表示画面の各表示位置の液晶を駆動制御することで、映像信号が表す画像を、表示画面に構成する。
【００２８】
液晶パネル１５ｂは、液晶を含む周知の板状の部材である。本実施形態の液晶パネル１５ｂは、ドライバ部１５ａに映像信号が入力されない無入力時に全透過状態となるノーマリーホワイトタイプの液晶パネルである。このようなノーマリーホワイトタイプの液晶パネル１５ｂを使用すれば、ドライバ部１５ａに映像信号が入力されず、ドライバ部１５ａが液晶パネル１５ｂの液晶を駆動しない状態でも、バックライト１５ｃの光の数％は透過するため、バックライト１５ｃの点灯および消灯は、十分ユーザで認識可能である。
【００２９】
バックライト１５ｃは、液晶パネル１５ｂを背面から照らす光源（例えば、陰極線管、白色ＬＥＤ等）である。この光源の光が、液晶パネル１５ｂを通ることで、液晶パネル１５ｂに構成された画像がユーザに見えるようになる。バックライト１５ｃの輝度は、バックライト制御部１９によって制御される。
【００３０】
ＣＰＵ１６は、メモリ１７に記録された所定のプログラムを実行することで種々の処理を実現する。例えば、メモリ１７に記録された各種設定に応じて、液晶モジュール１５の調整項目（例えば、コントラスト、色温度等）を調整する。
【００３１】
またＣＰＵ１６は、画像表示器１の操作部（図示せず）に対するユーザの設定操作等に基づいて、バックライト制御部１９をＰＷＭ（Pulse Width Modulation）制御することで、バックライト１５ｃを所定の輝度に調整する。
【００３２】
具体的には、ＣＰＵ１６は、通常時において、異常時用輝度制御部１８に対して輝度制御用の所定の周期のパルス波を出力する。後述するように、このパルス波は、通常時には、そのまま異常時用輝度制御部１８からバックライト制御部１９に入力される。そして、バックライト制御部１９は、入力されたパルス波に従ってバックライト１５ｃをオン、オフ制御する。具体的には、パルス波の値がハイのときにはバックライト１５ｃを点灯させ、パルス波の値がローのときにはバックライト１５ｃを消灯させる。このＣＰＵ１６から出力するパルス波の周期は、１０−４秒〜１０−５程度であるので、バックライト制御部１９ｃに入力されるパルス波のデューティ比に応じて、バックライト１５ｃの実質的な輝度が決まる。そして、ＣＰＵ１６は、上述のユーザの設定操作等に基づいて、このデューティ比を変化させる。
【００３３】
またＣＰＵ１６は、映像信号処理部１３に対して、第１映像信号入力部１１から出力された映像信号のみをＬＣＤ駆動回路１４に出力するか、第２映像信号入力部１２から出力された映像信号のみをＬＣＤ駆動回路１４に出力するか、あるいは映像信号処理部１１、１２から出力された映像信号を合成した映像信号をＬＣＤ駆動回路１４に出力するかを、制御する。この制御は、図示しない制御線を介したナビゲーション装置２または車載カメラ３からの制御信号に従って行う。
【００３４】
その際ＣＰＵ１６は、第１映像信号入力部１１から出力された映像信号のみをＬＣＤ駆動回路１４に出力させる場合は、ＡＮＤ回路２１への映像入力有効信号をハイとすると共に、ＡＮＤ回路２２への映像入力有効信号をローとする。また、第２映像信号入力部１２から出力された映像信号のみをＬＣＤ駆動回路１４に出力させる場合は、ＡＮＤ回路２２への映像入力有効信号をハイとすると共に、ＡＮＤ回路２１への映像入力有効信号をローとする。また、映像信号処理部１１、１２から出力された映像信号を合成した映像信号をＬＣＤ駆動回路１４に出力させる場合は、ＡＮＤ回路２１、２２の両方への映像入力有効信号をハイとする。
【００３５】
このように、ＡＮＤ回路２１に入力される映像入力有効信号は、ハイであれば第１映像信号入力部１１の映像信号が表示に使用されることを示し、ローであれば使用されないことを示す信号である。同様に、ＡＮＤ回路２２に入力される映像入力有効信号は、ハイであれば第２映像信号入力部１２の映像信号が表示に使用され、ローであれば使用されないことを示す信号である。
【００３６】
ウオッチドッグ２０は、ＣＰＵ１６を監視し、ＣＰＵ１６に異常が発生したことを検出すると、ＰＷＭパルス生成部１８ｂおよびＯＲ回路１８ｃに出力する異常通知信号をローからハイにする周知の回路である。
【００３７】
ＡＮＤ回路２１は、ＣＰＵ１６からの信号と異常検出部１１ａから出力される信号の両方がハイであるときに限り、異常時用輝度制御部１８への異常通知信号をハイとする。ＡＮＤ回路２２は、ＣＰＵ１６からの信号と異常検出部１２ａから出力される信号の両方がハイであるときに限り、異常時用輝度制御部１８への異常通知信号をハイとする。
【００３８】
電源部２３は、外部の電源入力（例えば、車両のメインバッテリ）を利用して、画像表示器１の各部に作動用の電力を供給する回路である。この電源部２３は、自装置の作動を監視する電源診断部２３ａを備え、電源診断部２３ａは、自装置の故障を検出した場合、異常時用輝度制御部１８に出力する異常通知信号をローからハイに切り替える。
【００３９】
異常時用輝度制御部１８は、スイッチ１８ａ、ＰＷＭパルス生成部１８ｂ、およびＯＲ回路１８ｃを有している。スイッチ１８ａは、ＯＲ回路１８ｃからの信号がローの場合にＣＰＵ１６の出力をバックライト制御部１９に入力し、ＯＲ回路１８ｃからの信号がハイの場合にＰＷＭパルス生成部１８ｂの出力をバックライト制御部１９に入力する回路である。
【００４０】
ＰＷＭパルス生成部１８ｂには、異常時用輝度制御部１８に入力されたウオッチドッグ２０、ＡＮＤ回路２１、ＡＮＤ回路２２、電源診断部２３ａからの異常通知信号が入力される。そしてＰＷＭパルス生成部１８ｂは、それら入力された異常通知信号のハイ、ローの組み合わせ毎に、周期（１対の連続するオンとオフの期間）が異なるパルス波を出力する。ただし、ここで出力するパルス波は、異常通知用のパルス波であり、その周期は、ＣＰＵ１６が輝度制御のために出力したパルス波の周期よりも長く、人間にオン、オフの切り替えが判別可能な程度の周期（例えば、０．１秒以上の周期）である。
【００４１】
例えば、ＰＷＭパルス生成部１８ｂは、ウオッチドッグ２０からの異常通知信号のみがハイで他の異常通知信号がローの場合は、出力するパルス波の周期を０．１秒とし、ＡＮＤ回路２１からの異常通知信号のみがハイで他の異常通知信号がローの場合は、出力するパルス波の周期を０．５秒とし、ＡＮＤ回路２２からの異常通知信号のみがハイで他の異常通知信号がローの場合は、出力するパルス波の周期を１．０秒とし、電源診断部２３ａからの異常通知信号のみがハイで他の異常通知信号がローの場合は、出力するパルス波の周期を２．０秒とする。なお、各パルス波のデューティ比は同じ（例えば０．５）であってもよい。
【００４２】
このような作動を実現するためにＰＷＭパルス生成部１８ｂは、それぞれ異なる周期のパルス波を生成する複数個のパルス波発生器を備え、更に、ウオッチドッグ２０、ＡＮＤ回路２１、ＡＮＤ回路２２、電源診断部２３ａからの異常通知信号に応じて上記複数個のパルス波発生器のうちから１つを出力用のパルス波発生器として選択する切り替え回路を備えていればよい。
【００４３】
ＯＲ回路１８ｃには、異常時用輝度制御部１８に入力されたウオッチドッグ２０、ＡＮＤ回路２１、ＡＮＤ回路２２、電源診断部２３ａからの異常通知信号が入力され、それら異常通知信号のうち１つでもハイならば、スイッチ１８ａへ出力する信号がハイとなり、それら異常通知信号のすべてがローならば、スイッチ１８ａへ出力する信号がローとなる。
【００４４】
以上のような構成の画像表示器１の作動について、以下説明する。ＣＰＵ１６は、図示しない制御信号線を介して、画像表示器１の外部の装置（すなわちナビゲーション装置２または車載カメラ３）から、（Ａ）第１映像信号入力部１１および第２映像信号入力部１２の出力する映像信号のうち、第１映像信号入力部１１の出力のみを表示するか（すなわち、第１映像信号入力部１１のみを有効とするか）、（Ｂ）第２映像信号入力部１２の出力のみを表示するか（すなわち、第２映像信号入力部１２のみを有効とするか）、あるいは、（Ｃ）映像信号入力部１１、１２の出力の両方を合成して出力するか（すなわち、映像信号入力部１１、１２の両方を有効とするか）を選択する。
【００４５】
ＣＰＵ１６は、その選択結果に応じて、第１映像信号入力部１１のみを有効とする場合はＡＮＤ回路２１への映像入力有効信号をハイにすると共にＡＮＤ回路２２への映像入力有効信号をローとし、第２映像信号入力部１２のみを有効とする場合はＡＮＤ回路２１への映像入力有効信号をローにすると共にＡＮＤ回路２２への映像入力有効信号をハイとし、両方を有効とする場合はＡＮＤ回路２１への映像入力有効信号をハイにすると共にＡＮＤ回路２２への映像入力有効信号をハイとする。
【００４６】
以下、一例として、第１映像信号入力部１１のみを有効とした場合について説明する。この場合、映像ソース３１から逐次出力される映像信号は、第１映像信号入力部１１および映像信号処理部１３を経てＬＣＤ駆動回路１４に入力され、ＬＣＤ映像駆動部１４は、その映像信号が表す画像の各画素を、液晶モジュール１５上の表示画面の各表示位置に各タイミングで表示させるよう、適切なタイミングでドライバ部１５ａに信号を出力する。そして、ドライバ部１５ａは、入力された信号に従って液晶パネル１５ｂの液晶を駆動する。
【００４７】
またこのとき、ＣＰＵ１６、電源部２３に異常がなければ、ウオッチドッグ２０および電源診断部２３ａから出力される異常通知信号はローのままとなる。また、第１映像信号入力部１１に入力される映像信号に異常がなければ、異常検出部１１ａから出力される異常通知信号はローのままとなる。したがって、ＡＮＤ回路２１の出力もローのままとなる。
【００４８】
また、第２映像信号入力部１２は使用されていないので、映像ソース３２から映像信号が入力されない場合もある。その場合、異常検出部１２ａは映像信号が入力されていないことを検出し、異常通知信号をハイにするが、ＣＰＵ１６からＡＮＤ回路２２への映像入力有効信号がローなので、ＡＮＤ回路２２の出力はローのままとなる。
【００４９】
したがって、ＯＲ回路１８ｃの出力もローとなり、ＣＰＵ１６が輝度のＰＷＭ制御のために出力したパルス波がバックライト制御部１９に入力され、バックライト制御部１９は入力されたパルス波に従ってバックライト１５ｃをオン、オフ制御する。このようになっていることで、バックライト１５ｃが通常の輝度で液晶パネル１５ｂを照らすので、液晶パネル１５ｂに構成された画像がユーザに見えるようになる。
【００５０】
ここで、映像ソース３１からの映像信号が途絶えるか、あるいは、映像ソース３１からの映像信号に異常が発生したとする。すると異常検出部１１ａから出力される異常通知信号がローからハイに切り替わる。ＣＰＵ１６からＡＮＤ回路２１への映像入力有効信号もハイとなっているので、ＡＮＤ回路２１からＯＲ回路１８ｃおよびＰＷＭパルス生成部１８ｂへの異常通知信号もハイとなる。
【００５１】
すると、ＯＲ回路１８ｃからスイッチ１８ａへの出力信号もハイとなるので、ＣＰＵ１６の出力するパルス波の代わりに、ＰＷＭパルス生成部１８ｂの出力するパルス波がバックライト制御部１９に入力される。
【００５２】
このときにＰＷＭパルス生成部１８ｂが出力するパルス波は、ＡＮＤ回路２１からの異常通知信号のみがハイとなる場合に対応した周期（例えば０．５秒周期）のパルス波である。このパルス波が入力されたバックライト制御部１９は、バックライト１５ｃの点灯および消灯を、上記の周期で切り替える。すると、ユーザは、当該周期で液晶モジュール１５の画面内で一様に明暗が繰り返されるのを視認することができ、それによって、映像ソース３１に異常があることを知ることができる。
【００５３】
なおこのとき、仮に映像ソース３１からの信号が途絶えており、ドライバ部１５ａに映像信号が入力されず、ドライバ部１５ａが液晶パネル１５ｂの液晶を駆動しない状態であったとしても、液晶パネル１５ｂはノーマリーホワイトタイプの液晶パネルなので、バックライト１５ｃの光の数％は透過する。したがって、バックライト１５ｃの点灯および消灯は、十分ユーザが認識可能である。
【００５４】
また、ＣＰＵ１６（または電源部２３）に異常があったとする。するとウオッチドッグ２０（または電源診断部２３ａ）から出力される異常通知信号がローからハイに切り替わる。すると、ＯＲ回路１８ｃからスイッチ１８ａへの出力信号もハイとなるので、ＣＰＵ１６の出力するパルス波の代わりに、ＰＷＭパルス生成部１８ｂの出力するパルス波がバックライト制御部１９に入力される。
【００５５】
このときにＰＷＭパルス生成部１８ｂが出力するパルス波は、ウオッチドッグ２０（または電源診断部２３ａ）からの異常通知信号のみがハイとなる場合に対応した周期（例えば０．１秒周期）のパルス波である。このパルス波が入力されたバックライト制御部１９は、バックライト１５ｃの点灯および消灯を、上記の周期で切り替える。すると、ユーザは、当該周期で液晶モジュール１５の画面内全体で一様に明暗が繰り返されるのを視認することができ、それによって、ＣＰＵ１６（または電源部２３）に異常があることを知ることができる。
【００５６】
このように、本実施形態の画像表示器１は文字描画のための回路を有していないが、映像ソース３１、映像ソース３２、ＣＰＵ１６、電源部２３のいずれかに異常が発生した場合は、その異常の種類に応じた態様でバックライト１５ｃを点滅させるので、液晶モジュール１５の表示画面全体が当該態様で一様に点滅し、ユーザは、異常の発生および異常の内容を知ることができる。
【００５７】
また、異常をユーザに通知するために、バックライト１５ｃが制御されているだけなので、映像信号処理部１３、ＬＣＤ駆動回路１４、ドライバ部１５ａ、液晶パネル１５ｂにおいては異常を通知するための特別な作動は行わない。したがって、画像表示器１の映像品質に影響を与えることなく異常を通知することが可能となる。
【００５８】
（第２実施形態）
次に、本発明の第２実施形態について説明する。図３に、本実施形態に係る画像表示器１の構成を示す。本実施形態の画像表示器１が第１実施形態の画像表示器１と構成上異なるのは、本実施形態の画像表示器１が異常時用輝度制御部１８を備えていない点である。
【００５９】
異常時用輝度制御部１８がないため、ＣＰＵ１６（本実施形態において輝度制御回路の一例に相当する）の出力したパルス波は、異常時用輝度制御部１８を介さず直接バックライト制御部１９に入力される。また、ウオッチドッグ２０、ＡＮＤ回路２１、ＡＮＤ回路２２、電源診断部２３ａから出力される異常通知信号は、ＣＰＵ１６に入力される。第１実施形態と同じ構成については、説明を省略する。
【００６０】
また、本実施形態の画像表示器１が第１実施形態の画像表示器１と作動上異なるのは、ＣＰＵ１６が、第１実施形態の作動に加え、画像表示器１の電源オン時に、メモリ１７中の所定のプログラムを実行することで、図４にフローチャートで示すような処理を行う点である。
【００６１】
この図４の処理においてＣＰＵ１６は、まずステップ１１０で、ＣＰＵ１６に入力される異常通知信号のうち、１つでもハイのものがあるか否かを判定し、あれば続いてステップ１２０を実行し、なければ再度ステップ１１０を実行する。
【００６２】
ステップ１２０では、バックライト制御部１９に出力するパルス波を、通常時の輝度制御用のパルス波から、異常通知用のパルス波に変化させる。具体的には、ハイとなった異常通知信号の出力元に応じた周期のパルス波をバックライト制御部１９に出力し始める。
【００６３】
例えば、ＡＮＤ回路２１からの異常通知信号がハイであった場合、すなわち、映像ソース３１からの映像信号に異常または途絶があった場合、１秒のハイと１秒のローを繰り返す２秒周期のパルス信号を出力する。また例えば、ＡＮＤ回路２２からの異常通知信号がハイであった場合、すなわち、映像ソース３２からの映像信号に異常または途絶があった場合、２秒のハイと２秒のローを繰り返す４秒周期のパルス信号を出力する。また例えば、電源診断部２３ａからの異常通知信号がハイであった場合、すなわち、電源部２３に異常があった場合、０．５秒のハイと０．５秒のローを繰り返す１秒周期のパルス信号を出力する。
【００６４】
このパルス波が入力されたバックライト制御部１９は、バックライト１５ｃの点灯および消灯を、上記の周期で切り替える。すると、ユーザは、当該周期で液晶モジュール１５の画面内全体で一様に明暗が繰り返されるのを視認することができ、それによって、どのような種類の異常があるかを知ることを知ることができる。
【００６５】
このように、本実施形態の画像表示器１は文字描画のための回路を有していないが、映像ソース３１、映像ソース３２、ＣＰＵ１６、電源部２３のいずれかに異常が発生した場合は、その異常の種類に応じた態様でバックライト１５ｃを点滅させるので、液晶モジュール１５の表示画面全体が当該態様で一様に点滅し、ユーザは、異常の発生および異常の内容を知ることができる。
【００６６】
また、異常をユーザに通知するために、バックライト１５ｃが制御されているだけなので、映像信号処理部１３、ＬＣＤ駆動回路１４、ドライバ部１５ａ、液晶パネル１５ｂにおいては異常を通知するための特別な作動は行わない。したがって、画像表示器１の映像品質に影響を与えることなく異常を通知することが可能となる。
【００６７】
また、本実施形態では、画像表示器１として既に保有している機能を用い、表示器の内部異常、映像入力信号の異常、映像入力信号の途絶等を通知することで、新たなデザイン制約が課されることもなく、部品コストを上げることもなく、ユーザへの異常の通知を実現することができる。
【００６８】
（第３実施形態）
次に、本発明の第３実施形態について説明する。本実施形態が第１、第２実施形態と異なるのは、本実施形態の映像ソース３２である車載カメラ３が更に、図５に示すような作動を実行する点である。
【００６９】
具体的には、車載カメラ３は、図示しない制御装置（例えば周知のマイクロコンピュータ）を有し、この制御装置は、車両のエンジン始動を検出すると、ステップ２１０で、撮影画像の映像信号を、画像表示器１の第１映像信号入力部１１に出力し始める。
【００７０】
ステップ２１０を実行してから所定時間経過後（例えば１秒経過後）、続いてステップ２２０で、画像表示器１に出力する映像入力有効信号をハイに切り替える。なお、本実施形態では、この映像入力有効信号は、画像表示器１のＣＰＵ１６に入力されるようになっており、ＣＰＵ１６は、車載カメラ３からの映像入力有効信号がハイになったことに基づいて、ＡＮＤ回路２１への映像入力有効信号をハイにするようになっている。これによって、異常検出部１１ａから出力される異常通知信号のハイ、ローと、ＡＮＤ回路２１の出力のハイ、ローが一致するようになる。
【００７１】
続いてステップ２３０では、所定の待ち時間時間（例えば３０秒）だけ待機する。この待機の間も、車載カメラ３から第１映像信号入力部１１への映像信号の出力を続ける。したがって、第１映像信号入力部１１では、通常ならば異常検出部１１ａからの異常通知信号はローとなっているが、何らかの原因で第１映像信号入力部１１に映像信号が入力されないか、あるいは入力された映像信号が異常な場合は、異常検出部１１ａからの異常通知信号はハイとなり、その結果、第１映像信号入力部１１における映像信号の途絶または異常に対応した態様でバックライト１５ｃが点滅し、ユーザは、異常の発生および異常の内容を知ることができる（ステップ２４０）。
【００７２】
そして車載カメラ３の制御装置は、待ち時間の経過後、ステップ２５０で、ＣＰＵ１６に出力する映像入力有効信号をローに切り替える。このようにすることで、ＣＰＵ１６からＡＮＤ回路２１への映像入力有効信号もローに切り替わる。
【００７３】
ステップ２５０を実行してから所定時間経過後（例えば１秒経過後）、続いてステップ２６０で、車載カメラ３から第１映像信号入力部１１への映像信号の出力を終了する。このとき、既にＡＮＤ回路２１への映像入力有効信号がローに切り替わっているので、第１映像信号入力部１１への映像信号の途絶があっても、ＡＮＤ回路２１からの異常通知信号はローのままとなる。
【００７４】
このように、車載カメラ３は、車両のエンジン始動時に、撮影画像の映像信号を画像表示器１に出力し始め、その後、映像信号の出力を続けたまま所定の待ち時間時間だけ待機し、待ち時間の経過後、画像表示器１への映像信号の出力を終了するようになっている。
【００７５】
車載カメラ３がこのような作動を行うことで、運転支援に直接関わる車載カメラ３の撮影画像を表示するための映像信号線（車載カメラ３から第１映像信号入力部１１までの信号線）等の故障が発生していれば、エンジン始動時にあらかじめユーザに故障が通知される。したがって、走行中に車載カメラ３の撮影画像を実際に表示する状況になるまでユーザが故障に気づかない可能性を低減することができる。
【００７６】
またその際、車載カメラ３から映像信号を出力し始めた後のタイミングで、ＣＰＵ１６からＡＮＤ回路２１への映像入力有効信号をローからハイに切り替え、また、ＣＰＵ１６からＡＮＤ回路２１への映像入力有効信号をハイからローに切り替えた後で、車載カメラ３からの映像信号の出力を停止する。
【００７７】
このようにせず、例えば、映像入力有効信号の切り替えタイミングと映像信号の出力開始、出力終了のタイミングを同時にしてしまうと、外的条件や製品間のばらつきが原因で、映像入力有効信号の出力開始よりも少し前に映像入力有効信号がハイになってしまったり、映像入力有効信号の出力終了よりも少し遅れて映像入力有効信号ローになってしまったりする。その場合、映像入力信号が出力されておらず、かつ映像入力有効信号がハイである期間が生じてしまい、その結果、車載カメラ３、画像表示器１およびその間の映像信号線の機能に異常が無いにもかかわらず、バックライト１５ｃが点滅してしまう可能性が生じる。
【００７８】
本実施形態では、上記のように、車載カメラ３から映像信号を出力した後のタイミングで、ＣＰＵ１６からＡＮＤ回路２１への映像入力有効信号をハイに切り替え、また、ＣＰＵ１６からＡＮＤ回路２１への映像入力有効信号をローに切り替えた後で、車載カメラ３からの映像信号の出力を停止するので、そのような問題が発生する可能性が低減される。
【００７９】
（第４実施形態）
次に、本発明の第４実施形態について説明する。本実施形態が第２実施形態と異なる点は、第２実施形態では、バックライト１５ｃを点滅させることで、画像表示器１の異常をユーザに通知するようになっていたが、本実施形態では、ＬＣＤ駆動回路１４から液晶モジュール１５に入力される映像信号のうち一部を加工して液晶パネル１５ｂの表示色を画面全体で一様に制し、それにより、画像表示器１の異常をユーザに通知するようになっていてもよい。図６に、このような異常通知の方法を実現するためのＬＣＤ駆動回路１４の構成例を示す。
【００８０】
この例においては、ＬＣＤ駆動回路１４は、タイミングコントロールブロック１４ａ、およびＯＲ回路１４ｂ〜１４ｇ（固定回路の一例に相当する）を備えている。タイミングコントロールブロック１４ａは、映像信号処理部１３から入力された映像信号中のタイミングパルス信号（ドットクロック信号、水平同期信号、垂直同期信号）およびＲＧＢ信号のうち、タイミングパルス信号をドライバ部１５ａに出力すると共に、そのタイミングパルス信号に応じた適切なタイミングでＲＧＢ信号を出力する。
【００８１】
本例では、タイミングコントロールブロック１４ａからＲＧＢ信号を出力するために用いられる信号線は１８本あり、それらのうち６本がＲ（赤）の輝度を表す６ビットの信号の出力に用いられ、他の６本がＧ（緑）の輝度を表す６ビットの信号の出力に用いられ、残りの６本がＢ（青）の輝度を表す６ビットの信号の出力に用いられる。各信号線のハイが、各ビットの１に対応し、各信号線のローが、各ビットの０に対応する。
【００８２】
通常は、タイミングコントロールブロック１４ａから１８本のＲＧＢ信号線に出力される信号がそのままドライバ部１５ａに入力されるようになっているが、本例では、ＲＧＢ信号線のうち一部、すなわちＲに対応する６本の信号線は、それぞれＯＲ回路１４ｂ〜１４ｇに入力されている。
【００８３】
また、各ＯＲ回路１４ｂ〜１４ｇのもう一方の入力端子には、ＣＰＵ１６から伸びる信号線が接続されており、ＯＲ回路１４ｂ〜１４ｇの出力信号は、ドライバ部１５ａに入力されるようになっている。これらＯＲ回路１４ｂ〜１４ｇは、タイミングコントロールブロック１４ａからの出力およびＣＰＵ１６からの出力のうち両方または一方がハイの場合にドライバ部１５ａにハイの信号を出力し、両方がローの場合にドライバ部１５ａにローの信号を出力する。
【００８４】
本実施形態の構成の他の部分は、第２実施形態の画像表示器１と同じである。以下、本実施形態の画像表示器１の作動について、第２実施形態と異なる部分について説明する。本実施形態の画像表示器１の作動が第２実施形態と異なるのは、ＣＰＵ１６ｂが図４のステップ１２０で、ＯＲ回路１４ｂ〜１４ｇへの信号をローからハイに切り替えるようになっている点である。なお、画像表示器１が起動してからステップ１２０でＯＲ回路１４ｂ〜１４ｇへの信号をローからハイに切り替えるまでは、すなわち、ＣＰＵ１６に入力される異常通知信号がすべてローの通常時は、ＣＰＵ１６からＯＲ回路１４ｂ〜１４ｇへの信号はローとなっている。
【００８５】
このようにすると、ＯＲ回路１４ｂ〜１４ｇから出力される信号がハイに切り替わり、その後、異常通知信号がすべてオフとなるまでの期間（所定期間の一例に相当する）、このハイの状態が継続する。したがって、液晶パネル１５ｂの画面全体において、赤色成分の輝度が最大になり、それによってユーザは、異常の発生を知ることができる。
【００８６】
この結果、例えば、第１映像信号入力部１１への映像信号が途絶した結果ＡＮＤ回路２１の出力がハイになった場合は、液晶モジュール１５の表示色が画面全体で赤色となる。また、液晶モジュール１５が何らかの画像を表示している際に電源部２３に異常があった場合は、液晶モジュール１５の全画面において赤みが増すようになり、それによってユーザは、異常の発生を知ることができる。
【００８７】
またあるいは、ＣＰＵ１６は、ステップ１２０で、ＯＲ回路１４ｂ〜１４ｇへの信号をローからハイに切り替え、それに続いて、人間の視覚で変化が判別できる程度の所定の周期（例えば０．１秒以上の周期）で、ＯＲ回路１４ｂ〜１４ｇへの信号のハイ、ローを切り替えるようになっていてもよい。例えば、映像信号の１フレーム分の時間（例えば１／６０秒）よりも長い第１の期間（所定期間の一例に相当する。例えば１秒。）だけＯＲ回路１４ｂ〜１４ｇへの信号をハイに固定し、映像信号の１フレーム分の時間（例えば１／６０秒）よりも長い第２の期間（例えば１秒）だけＯＲ回路１４ｂ〜１４ｇへの信号をローに固定する。
【００８８】
このようにすると、例えば、第１映像信号入力部１１への映像信号が途絶した結果ＡＮＤ回路２１の出力がハイになった場合は、液晶モジュール１５の表示色が全画面で赤色となる状態と、液晶モジュール１５の表示色が全画面で黒色となる状態とが、上記所定周期（第１の期間＋第２の期間）で繰り返される。それによってユーザは、異常の発生を知ることができる。
【００８９】
また、液晶モジュール１５が何らかの画像を表示している際に電源部２３に異常があった場合は、液晶モジュール１５の全画面において赤みが増す状態と、液晶モジュール１５の全画面において表示色が元に戻る状態とが、上記所定周期で繰り返される。それによってユーザは、異常の発生を知ることができる。
【００９０】
このように、画像表示器１に入力される信号の異常または当該画像表示器１の作動の異常が検出され、その結果ハイの異常通知信号がＣＰＵ１６に入力されると、それに基づいて、ＯＲ回路１４ｂ〜１４ｇが、複数本の信号線の一部から出力される信号（Ｒ信号）の値を所定期間固定し、それにより、液晶モジュール１５の表示色の特定の色成分が画面全体で一様になる。
【００９１】
また、ＣＰＵ１６は、上記第１の期間および第２の期間を、ハイとなった異常通知信号の出力元に応じた期間としてもよい。例えば、ＡＮＤ回路２１からの異常通知信号がハイであった場合、すなわち、映像ソース３１からの映像信号に異常または途絶があった場合、第１の期間および第２の期間をそれぞれ１秒とし、ＡＮＤ回路２２からの異常通知信号がハイであった場合、すなわち、映像ソース３２からの映像信号に異常または途絶があった場合、第１の期間および第２の期間をそれぞれ２秒とし、電源診断部２３ａからの異常通知信号がハイであった場合、すなわち、電源部２３に異常があった場合、第１の期間および第２の期間をそれぞれ０．５秒としてもよい。
【００９２】
このように、画像表示器１に入力される信号の異常または当該画像表示器１の作動の異常が検出され、その結果ハイの異常通知信号がＣＰＵ１６に入力されると、それに基づいて、ＯＲ回路１４ｂ〜１４ｇが、複数本の信号線の一部から出力される信号（Ｒ信号）の値を所定期間固定し、それにより、液晶モジュール１５の表示色の特定の色成分が画面全体で一様になる。これにより、液晶パネル１５ｂの表示画面全体の特定の成分（赤色成分）が、異常発生箇所に応じた所定周期で一様に変化し、それによってユーザは、異常の発生および異常の内容を知ることができる。
【００９３】
このように、画像表示器１に入力される信号の異常または当該画像表示器の作動の異常が検出されたことに基づいて、液晶モジュール１５の表示色の特定の色成分を画面全体で一様にすることで、文字等の複雑な画像の描画機能を有していない画像表示装置でも、画面表示を利用して異常の通知を行うことができるようになる。
【００９４】
また、この所定期間が異常の種類によって変化することで、画像表示器の表示画面全体が異常の種類に応じた第１の期間だけ持続し、ユーザは、異常の発生および異常の内容を知ることができる。
【００９５】
なお、上記実施形態においては、第１映像信号入力部１１、第２映像信号入力部１２、映像信号処理部１３、ＬＣＤ駆動回路１４の組が、映像ソース３１、３２から入力された映像信号を表示モジュールに出力する映像信号出力部の一例に相当する。また、液晶モジュール１５が、映像信号出力部が出力した映像信号が表す画像をユーザに見えるように表示する表示モジュールの一例に相当する。
【００９６】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００９７】
例えば、第４実施形態において、ＲＢＧ信号線のうちＲに相当する信号線のみが、ＯＲ回路１４ｂ〜１４ｇの入力端子の一方に接続されているが、他のＧ、Ｂ信号線の全部または一部も、それぞれに対応するＯＲ回路の入力端子の一方に接続されていてもよい。その場合、各ＯＲ回路の他の入力端子には、第４実施形態のＯＲ回路１４ｂ〜１４ｇと同様、ＣＰＵ１６から伸びる信号線が接続されており、各ＯＲ回路の出力信号は、ドライバ部１５ａに入力される。
【００９８】
例えば、ＲＧＢ信号線のうち、Ｒに対応する６本の信号線と、Ｂに対応する６本の信号線が、それぞれＯＲ回路に入力されるようになっていてもよい。そしてこの場合、ＣＰＵ１６は、ステップ１２０で、上記所定周期で、以下の状態１、２を切り替えるようになっていてもよい。
（状態１）Ｒに対応する６本の信号線が接続されたＯＲ回路への信号をハイとすると共に
Ｂに対応する６本の信号線が接続されたＯＲ回路への信号をローとする状態
（状態２）Ｒに対応する６本の信号線が接続されたＯＲ回路への信号をローとすると共に
Ｂに対応する６本の信号線が接続されたＯＲ回路への信号をハイとする状態
このようにすると、例えば、第１映像信号入力部１１への映像信号が途絶した結果ＡＮＤ回路２１の出力がハイになった場合は、液晶モジュール１５の表示色が全画面で赤色となる状態と、液晶モジュール１５の表示色が全画面で青色となる状態とが、上記所定周期で繰り返される。それによってユーザは、異常の発生を知ることができる。
【００９９】
また、第４実施形態においては、ＯＲ回路１４ｂ〜１４ｇの入力端子にはＣＰＵ１６から伸びる信号線が接続されているが、必ずしもこのようになっておらずともよい。例えば、ＡＮＤ回路２１からの信号線が接続されるようになっていてもよい。このようになっていれば、第１映像信号入力部１１への映像信号が途絶した異常状態において、ＯＲ回路１４ｂ〜１４ｇの出力がハイになり、液晶パネル１５ｂの表示色が全画面で赤色となり、それによりユーザは、第１映像信号入力部１１への映像信号の途絶を知ることができる。
【０１００】
また、上記各実施形態では、映像ソース３１、３２として、ナビゲーション装置２および車載カメラ３が例示されているが、映像ソース３１、３２はこれ以外のものであってもよい。例えば、ナビゲーション装置２に代えてＤＶＤプレイヤーを映像ソース３１に用いてもよい。
【０１０１】
また、上記各実施形態では、液晶パネル１５ｂは、ドライバ部１５ａに映像信号が入力されない無入力時に全透過状態となるノーマリーホワイトタイプの液晶パネルとなっている。しかし、この液晶パネル１５ｂに代えて、映像信号が入力されない無入力時に不透過状態になるノーマリーブラックタイプの液晶パネルを用いてもよい。ノーマリーブラックタイプの液晶パネルを用いる場合は、ウオッチドッグ２０、ＡＮＤ回路２１、ＡＮＤ回路２２、電源診断部２３ａからの異常通知信号のいずれかがハイの場合、ＣＰＵ１６がＬＣＤ駆動回路１４を制御して、ＬＣＤ駆動回路１４からドライバ部１５ａに全画面白色の映像信号が出力されるようにすれば、バックライト１５ｃの光が液晶パネル１５ｂを透過することができる。
【０１０２】
また、第１実施形態では、ＰＷＭパルス生成部１８ｂは、入力された異常通知信号のハイ、ローの組み合わせ毎に、デューティ比が同じで周期が異なるパルス波を出力するようになっているが、周期が同じでデューティ比が異なるパルス波を出力するようになっていてもよいし、周期もデューティ比も異なるパルス波を出力するようになっていてもよい。
【０１０３】
また、第１、第２実施形態では、発生した異常の種類に応じた態様（周期、輝度、または周期と輝度の組み合わせ）でバックライト１５ｃを点滅させるようになっているが、単に異常の存在のみを知らせればよいのなら、発生した異常の種類に無関係に同じ態様でバックライト１５ｃを点滅させてもよい。
【０１０４】
また、第１、第２実施形態においては、ＣＰＵ１６からＡＮＤ回路２１、２２に映像入力有効信号が入力されるようになっているが、ＣＰＵ１６に代えてナビゲーション装置２、車載カメラ３から、それぞれＡＮＤ回路２１、ＡＮＤ回路２２に映像入力有効信号が入力されるようになっていてもよい。その場合、ナビゲーション装置２、車載カメラ３は、それぞれ第１映像信号入力部１１、第２映像信号入力部１２に映像信号を出力し始めた後に、ＡＮＤ回路２１、ＡＮＤ回路２２への映像入力有効信号をハイとし、第２映像信号入力部１２に映像信号を出力し終える直前に、ＡＮＤ回路２１、ＡＮＤ回路２２への映像入力有効信号をローとする。このようにすることで、その結果、ナビゲーション装置２、車載カメラ３、画像表示器１およびその間の映像信号線の機能に異常が無いにもかかわらず、バックライト１５ｃが点滅してしまう可能性が生じる。
【０１０５】
また、異常発生時のバックライトのオン、オフ制御は、上記実施形態のように輝度１００％と輝度０％を周期的に切り替えるのではなく、輝度を１００％と０％の間で緩やかに周期的に変化させるようになっていてもよい。このようにすれば、表示画面のちらつきを抑え、ユーザの運転視界の視認性を良好に保つことができる。
【０１０６】
また、上記実施形態において、バックライト１５ｃの例として白色ＬＥＤを挙げたが、バックライト１５ｃとしては、赤色ＬＥＤ、緑色ＬＥＤ、青色ＬＥＤの３つを用いてもよい。この場合、第１実施形態ならばＰＷＭパルス生成部１８ｂは、第２実施形態ならＣＰＵ１６は、ウオッチドッグ２０、ＡＮＤ回路２１、ＡＮＤ回路２２、電源診断部２３ａから入力された異常通知信号のハイ、ローの組み合わせ（ただしすべてがローの場合を除く）毎に、赤色ＬＥＤ、緑色ＬＥＤ、青色ＬＥＤのＰＷＭ制御におけるデューティ比の組み合わせが異なるようにしてもよい。
【０１０７】
例えば、ウオッチドッグ２０からの異常通知信号のみがハイで他の異常通知信号がローの場合は、赤色ＬＥＤ、緑色ＬＥＤ、青色ＬＥＤのＰＷＭ制御のデューティ比を１、０、０とし、ＡＮＤ回路２１からの異常通知信号のみがハイで他の異常通知信号がローの場合は、赤色ＬＥＤ、緑色ＬＥＤ、青色ＬＥＤのＰＷＭ制御のデューティ比を０、１、０とし、ＡＮＤ回路２２からの異常通知信号のみがハイで他の異常通知信号がローの場合は、赤色ＬＥＤ、緑色ＬＥＤ、青色ＬＥＤのＰＷＭ制御のデューティ比を０、１、１とし、電源診断部２３ａからの異常通知信号のみがハイで他の異常通知信号がローの場合は、赤色ＬＥＤ、緑色ＬＥＤ、青色ＬＥＤのＰＷＭ制御のデューティ比を０．５、１、０としてもよい。
【０１０８】
また、第４実施形態においては、表示モジュールの一例として液晶モジュール１５が用いられているが、液晶モジュール１５に代えて、ＥＬディスプレイモジュール（ＥＬパネルおよびＥＬパネルの駆動回路を備えたモジュール）、ＰＤＰディスプレイモジュール（ＰＤＰパネルおよびＰＤＰパネルの駆動回路を備えたモジュール）、ＣＲＴの描画回路等を用いることもできる。つまり、本発明の表示モジュールは、映像信号出力部が出力した映像信号が表す画像をユーザに見えるように表示する装置であれば、どのようなものでもよい。
【０１０９】
また、液晶モジュール１５に代えて、ＣＲＴを採用する場合、異常発生時に、走査線を決められたパターン（場所・本数）で表示することで、パターンにより故障内容をユーザに通知するようになっていてもよい。
【０１１０】
また、上記実施形態においては、画像表示器１の異常を検出する異常検出部として、異常検出部１１ａとＡＮＤ回路２１の組み合わせ、異常検出部１２ａとＡＮＤ回路２２の組み合わせ、ウオッチドッグ２０、および電源診断部２３ａが例示されているが、画像表示器１の異常を検出する異常検出部は、画像表示器１に入力される信号の異常または画像表示器１の作動の異常を検出する装置であれば、どのようなものであってもよい。
【符号の説明】
【０１１１】
１                      画像表示器
２                      ナビゲーション装置
３                      車載カメラ
１１、１２              映像信号入力部
１１ａ、１２ａ          異常検出部
１３                    映像信号処理部
１４                    ＬＣＤ駆動回路
１４ａ                  タイミングコントロールブロック
１４ｂ〜１４ｇ、１８ｃ  ＯＲ回路
１５                    液晶モジュール
１５ａ                  ドライバ部
１５ｂ                  液晶パネル
１５ｃ                  バックライト
１６                    ＣＰＵ
１８                    異常時用輝度制御部
１８ａ                  スイッチ
１８ｂ                  ＰＷＭパルス生成部
１９                    バックライト制御部
２０                    ウオッチドッグ
２１、２２              ＡＮＤ回路
２３                    電源部
２３ａ                  電源診断部
３１、３２              映像ソース
【図１】
2011150135.tif 000003
【図２】
2011150135.tif 000004
【図３】
2011150135.tif 000005
【図４】
2011150135.tif 000006
【図５】
2011150135.tif 000007
【図６】
2011150135.tif 000008